(57)【要約】      （修正有）【課題】乳幼児のおんぶや抱っこ時に、よだれや戻し乳などで親の衣服が汚れ、染みになってしまうことが多いため、離乳食開始以降の食べ・飲みこぼしを防ぐポケット付き乳幼児エプロンと兼用できる染みカット肩掛け兼用乳幼児エプロンを提供する。【解決手段】乳幼児エプロンの一般的型において、吸水性に富み乳幼児の肌にも優しい表生地と、内側に防水性シート６を一体化した裏生地２とを重ね合わせ、襟周り７側の上半分は一体的に縁取り縫着し、下半分は、別々に表裏縁取りして表生地唇片と裏生地唇片から成る開口裾部３を形成する。さらに、表生地唇片の内側にポケット５を形成し、裏生地面には、襟周り部両端辺りに首掛け紐を設け、左右縁近辺と襟周り部中央の少し下方及び首掛け紐には、適切に噛み合う位置にスナップ凹凸を配設する。【選択図】図２
0003181018.tif 000002
【実用新案登録請求の範囲】
【請求項１】
肌に優しい素材を用いた表生地と、オレフィン系エラストマーやシリコンのような無臭で滑りにくく、柔軟性、耐寒性・耐熱性にも優れた樹脂シート素材を用いた裏生地とを、重ね合わせる形で形成される本体において、裏生地の内側（表生地との接触側）に薄い防水性シートを一体として縫着し、全体として縦幅が大人の片肩を覆う約２０ｃｍ程で、横幅が肩から胸及び肩甲骨を覆う約４０ｃｍ程の横長に形成し、一方の長手辺中央部の約１８ｃｍ前後程の幅に亘って、緩やかに湾曲して凹んだ襟周り部を設け、左右の短手辺の真ん中辺りから襟周り部側の長手辺にかけて表生地と裏生地とを一体的に縁取り縫着し、残りの左右短手辺から他方の長手辺にかけては、表生地と裏生地それぞれ別々に縁取り縫いを施し、上下唇のように表生地唇片及び裏生地唇片から成る開口裾部を形成して、襟周り部に対向するのであるが、開口裾部の表生地唇片の裏側ほぼ全面に、襟周り部方向に開口したポケットを設け、ポケットの左右の端寄りの適所にそれぞれマチを設けるのであり、裏生地の外側面において、襟周り部の湾曲カーブの左右両端の近辺に首掛け紐を設け、一方の首掛け紐の中間辺りにスナップ凸を、先端近くにスナップ凹を設け、他方の首掛け紐の、中間辺りに２〜３箇所・数ｃｍ間隔でスナップ凹を、先端近くの反対面側にもスナップ凹を設け、同じ裏生地の外側面において、左右の短手辺の真ん中から襟周り部寄りに半分程行った位置に、それぞれスナップ凸を設け、この左右のスナップ凸を結ぶ線と襟周り部の真ん中から下ろした垂線との交点の辺りに、左右に約４〜５ｃｍ程の間隔で２箇所にスナップ凹を設けたことを特徴とする染みカット肩掛け兼用乳幼児エプロン。
【考案の詳細な説明】
【技術分野】
【０００１】  本考案は、乳幼児のよだれや戻し乳から保護者の衣服を守る肩掛けシートと、乳幼児の食べ・飲みこぼしに備える乳幼児エプロンとを兼用するものである。
【背景技術】
【０００２】  外出時、乳幼児が抱っこやおんぶで寝てしまうと、よだれや戻し乳で親の衣服が汚れ、染みになって洗っても落ちないことが多い。乳幼児には衣服の汚れや肌の湿疹・ただれを予防するためによだれ掛けを着けるが、親はタオルなどを肩口に掛けてその場をしのぐのが一般的であった。母親用よだれガードのような先行技術も知られている（特許文献１参照）。また、幼児の食べこぼし受けポケットを設けた幼児エプロンのような先行技術も知られている（特許文献２参照）。
【先行技術文献】
【特許文献】
【特許文献１】  特許公開２００２−３２７３１８号  公報
【特許文献２】  登録実用新案第３０６７６１４号  公報
【考案の概要】
【考案が解決しようとする課題】
【０００３】（イ）乳幼児のよだれや戻し乳で汚れた親の衣服は、洗い落としても染みになってしまい、特に高価な服の場合は困りものであった。
（ロ）タオルを肩口に掛けていても、ひとりでに、または抱っこしている乳幼児がちょっと動いただけでタオルは滑り落ちたりする。
（ハ）乳幼児に着けたよだれ掛けやエプロンは、乳幼児自身の服や肌を守ることはできるが、親の衣服を守ることはできず、想定もされていない。
（ニ）特許文献１に示される母親用よだれガードは、肩口に固定するのに、首と腕をゴム紐輪に通さねばならず、乳幼児を抱っこやおんぶしたままではとても厄介で実用に適さない。見た目の格好もいいとは言えない。
（ホ）乳幼児のよだれの垂れや離乳食以降の食べこぼし・飲みこぼしは避けられないので、特許文献２に示される乳幼児用エプロンのように、こぼし受けのポケットが付いていれば便利あるのは言うまでもないが、おんぶや抱っこしている時の親の衣服の汚れ防止には役立たない。
本考案は、以上のような問題点を解決する為になされたものである。
【課題を解決する為の手段】
【０００４】  肌に優しい素材を用いた表生地と、オレフィン系エラストマーやシリコンのような無臭で滑りにくく、柔軟性、耐寒性・耐熱性にも優れた樹脂シート素材を用いた裏生地とを、重ね合わせる形で形成される本体において、裏生地の内側（表生地との接触側）に薄い防水性シートを一体として縫着し、全体として縦幅が大人の片肩を覆う約２０ｃｍ程で、横幅が肩から胸及び肩甲骨を覆う約４０ｃｍ程の横長に形成し、一方の長手辺中央部の約１８ｃｍ前後程の幅に亘って、緩やかに湾曲して凹んだ襟周り部を設け、左右の短手辺の真ん中辺りから襟周り部側の長手辺にかけて表生地と裏生地とを一体的に縁取り縫着し、残りの左右短手辺から他方の長手辺にかけては、表生地と裏生地それぞれ別々に縁取り縫いを施し、上下唇のように表生地唇片及び裏生地唇片から成る開口裾部を形成して、襟周り部に対向する。
開口裾部の表生地唇片の裏側ほぼ全面に、襟周り部方向に開口したポケットを設け、ポケットの左右の端寄りの適所にそれぞれマチを設ける。
裏生地の外側面において、襟周り部の湾曲カーブの左右両端の近辺に首掛け紐を設け、一方の首掛け紐の中間辺りにスナップ凸を、先端近くにスナップ凹を設け、他方の首掛け紐の、中間辺りに２〜３箇所・数ｃｍ間隔でスナップ凹を、先端近くの反対面側にもスナップ凹を設け、同じ裏生地の外側面において、左右の短手辺の真ん中から襟周り部寄りに半分程行った位置に、それぞれスナップ凸を設け、この左右のスナップ凸を結ぶ線と襟周り部の真ん中から下ろした垂線との交点の辺りに、左右に約４〜５ｃｍ程の間隔で２箇所にスナップ凹を設ける。
以上を特徴とする染みカット肩掛け兼用乳幼児エプロン。
【考案の効果】
【０００５】（イ）裏生地面に滑り止め樹脂シートが設けてあるので、外出するとき、親は抱っこしたままでも片手で簡単に肩に染みカット肩掛けシートとして無造作に掛けるだけでよく、乳幼児が抱っこやおんぶで寝てしまって動いた時でも、ずれ落ちたりしにくく、親の衣服が染みで汚れることを気にしなくともよい。
（ロ）肩に掛けたとき、首に当たる側に湾曲して凹んだ襟周り部があるので、簡単に深く首周りにフィットして装着できる。
（ハ）表生地面はタオル地などであるため、吸水性が良く、乳幼児の肌にも優しい。裏生地面は滑り止め樹脂シートだけでなく、防水性シートを挟んであるので、汚れが服に染み透る心配もない。
（ニ）湾曲して凹んだ襟周り部は乳幼児の首周りにもやさしくフィットし、裏生地面にスナップで留めてあった首掛け紐を外し、裏生地面の左右のスナップを真ん中に留め、首掛け紐を乳幼児の首に掛けとめるだけで、乳幼児の食事の際のエプロンやよだれ掛けに簡単に変形し、使い分けして利用することができる。
（ホ）また左右対称であるので、使う人の利き手次第で、右肩、左肩のどちらでも自由に使用できる。
（ヘ）携帯時や収納時には、裏生地面を外側にして巻いて筒状にし、首掛け紐で一巻きして巻物のようにコンパクトに留めれば、生地が汚れたりすることがなく、衛生的でもあり、又、生地の繊維がひっかかってほつれたりする心配もなく、バッグからも取り出し入れしやすい。
（ト）首掛け紐には、スナップが複数個付いているので長さ調節も容易にでき、マジックテープのように毛玉やゴミがしつこく絡みついたりすることもない。首掛け紐を裏面のスナップに留めておけば、親の肩に掛けて使用するときに、首掛け紐が邪魔にならず、ぶらぶら垂れ下がってしまう見苦しさを解消できるし、幼児が手で引張りはずしたりすることもなくなる。
（チ）表生地唇片の裏側に設けたポケットを折り返して、表側に即座に食べこぼし受けのポケットができるので、離乳食開始以降は非常に便利である。
【図面の簡単な説明】
【０００６】
【図１】本考案の表生地面の一例を示す図
【図２】本考案の開口裾部を開きポケットが見える状態を示す一例図
【図３】本考案の裏生地面の一例を示す図
【図４】本考案の染みカット肩掛けシートとしての実施例を示す正面図
【図５】本考案の乳幼児エプロンとしての実施例を示す正面図
【図６】本考案の乳幼児エプロンとしての他の実施例を示す正面図
【考案を実施するための最良の形態】
【０００７】  以下、本考案の実施の形態を説明する。
肌に優しい素材を用いた表生地（１）と、オレフィン系エラストマーやシリコンのような無臭で滑りにくく、柔軟性、耐寒性・耐熱性にも優れた樹脂シート素材を用いた裏生地（２）とを、重ね合わせる形で形成される本体において、裏生地（２）の内側（表生地との接触側）に薄い防水性シート（６）を一体として縫着し、全体として縦幅が大人の片肩を覆う約２０ｃｍ程で、横幅が肩から胸及び肩甲骨を覆う約４０ｃｍ程の横長に形成し、一方の長手辺中央部の約１８ｃｍ前後程の幅に亘って、緩やかに湾曲して凹んだ襟周り部（７）を設け、左右の短手辺の真ん中辺りから襟周り部（７）側の長手辺にかけて表生地（１）と裏生地（２）とを一体的に縁取り縫着し、残りの左右短手辺から他方の長手辺にかけては、表生地（１）と裏生地（２）それぞれ別々に縁取り縫いを施し、上下唇のように表生地唇片及び裏生地唇片から成る開口裾部（３）を形成して、襟周り部（７）に対向する。
開口裾部（３）の表生地唇片の裏側ほぼ全面に、襟周り部（７）方向に開口したポケット（５）を設け、ポケット（５）の左右の端寄りの適所にそれぞれマチ（４）を設ける。
裏生地（２）の外側面において、襟周り部（７）の湾曲カーブの左右両端の近辺に首掛け紐（１０ａ、１０ｂ）を設け、一方の首掛け紐（１０ｂ）の中間辺りにスナップ凸（９ｃ）を、先端近くにスナップ凹（８ｄ）を設け、他方の首掛け紐（１０ａ）の、中間辺りに２〜３箇所・数ｃｍ間隔でスナップ凹（８ａ、８ｂ）を、先端近くの反対面側にもスナップ凹（８ｃ）を設ける。同じ裏生地（２）の外側面において、左右の短手辺の真ん中から襟周り部（７）寄りに半分程行った位置に、それぞれスナップ凸（９ａ、９ｂ）を設け、この左右のスナップ凸（９ａ、９ｂ）を結ぶ線と襟周り部（７）の真ん中から下ろした垂線との交点の辺りに、左右に約４〜５ｃｍ程の間隔で２箇所にスナップ凹（８ｅ、８ｆ）を設ける。
本考案は、以上のような構成であり、以下具体的な実施例を説明する。
（イ）親の染みカット肩掛けシート（１２）として利用する際は、滑りにくい樹脂シートで形成した裏生地（２）側を下にし、襟周り部（７）を首側にして、ポンと肩に置き掛けるだけでよい。乳幼児のよだれ等は表生地（１）に吸収保持されると共に、裏生地（２）の内側が防水性シート（６）になっているので、親（保護者）の服に染み透る心配もない。
（ロ）乳幼児を抱っこ又はおんぶしているとき、乳幼児の口の位置に合わせて自由に置き位置を調整できる。又、乳幼児が動いても、裏生地（２）の樹脂シートは柔軟で、親の衣服に適度に密着しているので、滑って落ちることもない。
（ハ）表生地面（１）が汚れても容易に洗濯することができ、型崩れもしにくい。
（ニ）乳幼児用エプロンとして利用するときは、裏面にあるスナップ（８ｅ）と（９ａ）及びスナップ（８ｆ）と（９ｂ）を留めて、染みカット肩掛けシート（１２）をエプロン（１１）の形状に整形し、首掛け紐（１０ａ）及び（１０ｂ）をスナップ（９ｃ）とスナップ（８ａ）又は（８ｂ）で乳幼児の首の太さに応じて長さを調節して留め、乳幼児の首に掛ければ、乳幼児の動きの妨げにもならず、防水機能を持ったエプロンやよだれ掛けとして使用できる。
（ホ）携帯時や収納時には、裏生地（２）の樹脂シートを外側にして巻いて筒状にし、首掛け紐（１０ａ）及び（１０ｂ）で巻物のように留めれば、開いたり、生地が汚れたりすることがなく衛生的でもあり、又、生地の繊維がひっかかってほずれたりする心配もなく、バッグからも取り出し入れしやすい。
（ヘ）首掛け紐（１０ａ）及び（１０ｂ）は、スナップ（８ｃ）と（９ａ）及びスナップ（８ｄ）と（９ｂ）とで留めておけば、親の肩に掛けて使用するときに、ひもが邪魔にならず、ぶらぶら垂れ下がってしまう見苦しさを解消できるし、乳幼児が手で引張りはずしたりすることもなくなる。
（ト）首側と反対側の長手辺の唇片を開口裾部（３）とし、表面の裏内側面に複数個のマチ（４）を持つ、深さ１０ｃｍ程の柔軟な撥水素材のポケット（５）を設けているので、離乳食が始まった時には食べこぼしや飲みこぼしで服を汚さないように、内蔵したポケット（５）を引き出し裏返すことにより、ポケット付き防水エプロン（１１）になる。
【符号の説明】
【０００８】  １      表生地
２      裏生地
３      開口裾部
４      マチ
５      ポケット
６      防水性シート
７      襟周り部
８ａ    スナップ凹
８ｂ    スナップ凹
８ｃ    スナップ凹
８ｄ    スナップ凹
８ｅ    スナップ凹
８ｆ    スナップ凹
９ａ    スナップ凸
９ｂ    スナップ凸
９ｃ    スナップ凸
１０ａ  首掛け紐
１０ｂ  首掛け紐
１１    エプロン
１２    染みカット肩掛けシート
【図１】
0003181018.tif 000003
【図２】
0003181018.tif 000004
【図３】
0003181018.tif 000005
【図４】
0003181018.tif 000006
【図５】
0003181018.tif 000007
【図６】
0003181018.tif 000008